(57)【要約】【課題】本発明は、粘着手段に付着するシートペーパーの紙粉を抑制するだけでなく、粘着手段に付着した衣類の繊維やゴミ、皮脂を除去できる特殊な専用シートペーパーを加工し、それにより粘着手段の粘着力を一定に維持して粘着手段のメンテナンスを最小限にした便座カバー用紙セット、便座カバー用紙を提供することを課題とする。また、本発明は、シートペーパーのカールやしわを防止し、加工コストを削減した便座カバー用紙セット、便座カバー用紙を提供することを課題とする。【解決手段】本発明の便座カバー用紙セットにおけるシートペーパー２０は、シートペーパーの基体となるシート本体２４と、シート本体２４の一方の面に微粘着剤を塗布した微粘着剤塗布部２６と、シート本体２４の他方の面にサイジング剤を塗布したサイジング剤塗布部２５とを備えることを特徴とする。【選択図】  図３
2004321670.tif 000002
【特許請求の範囲】
【請求項１】
腰掛け式便器において、便蓋側に設けた便座カバー用紙束を収納する用紙収納手段と、便座側に設けられ、前記便蓋を閉じると前記用紙収納手段内の便座カバー用紙と当接し前記便座カバー用紙が付着する付着手段と、を有する便座カバー用紙セットにおいて、
前記便座カバー用紙は、
前記便座カバー用紙の基体となるシート本体と、
前記シート本体の一方の面に微粘着剤を塗布した微粘着剤塗布部と、
を備え、
前記微粘着剤塗布部は、前記便座カバー用紙を前記便座上に敷設する際に前記付着手段に付着する便座カバー用紙セット。
【請求項２】
前記シート本体の他方の面に当該シート本体の表面をコーティングするサイジング剤を塗布したサイジング剤塗布部を有し、
当該サイジング剤塗布部は、前記シート本体を介して前記微粘着剤塗布部と相対する位置に設けられている請求項１に記載の便座カバー用紙セット。
【請求項３】
前記微粘着剤塗布部は、前記サイジング剤塗布部より小さく形成し、便座カバー用紙を積載したとき、前記微粘着剤塗布部は、別の便座カバー用紙のシート本体とは当接しない請求項２に記載の便座カバー用紙セット。
【請求項４】
前記微粘着剤は、ポリビニールメチルエーテルとポリビニールピロドリン系の材料との混合物からなる水分散型のホットメルト接着剤、膠変性物からなる接着剤、アクリル系粘着剤の何れか一つ又は少なくとも二つ以上を有効成分とする請求項１〜４の何れかに記載の便座カバー用紙セット。
【請求項５】
前記サイジング剤は澱粉、ポリビニールアルコール、カゼイン、ポリアクリルアミドのうちの何れか一つ又は少なくとも二つ以上を有効成分とする基剤と、別の便座カバー用紙の前記微粘着剤塗布部との付着を妨げるはく離剤とからなる請求項２〜４の何れかに記載の便座カバー用紙セット。
【請求項６】
腰掛け式便器において、便蓋側に設けた便座カバー用紙束を収納する用紙収納手段と、便座側に設けられ、前記便蓋を閉じると前記用紙収納手段内の便座カバー用紙と当接し前記便座カバー用紙が付着する付着手段と、を有する便座カバー用紙セットにおいて、
前記便座カバー用紙は、
前記便座カバー用紙の基体となるシート本体と、
前記シート本体の一方の面に当該シート本体の表面をコーティングするサイジング剤を塗布したサイジング剤塗布部と、
を備え、
前記サイジング剤塗布部は、前記便座カバー用紙を前記便座上に敷設する際に前記付着手段に付着する便座カバー用紙セット。
【請求項７】
前記サイジング剤は、澱粉、ポリビニールアルコール、カゼイン、ポリアクリルアミドのうちの何れか一つ又は少なくとも二つ以上を有効成分とし、その何れかの中で前記付着手段と接着性のよい成分を主成分とする請求項６に記載の便座カバー用紙セット。
【請求項８】
前記サイジング剤は、澱粉、ポリビニールアルコール、カゼイン、ポリアクリルアミドのうちの何れか一つ又は少なくとも二つ以上の有効成分と、前記付着手段と接着性のよい成分との混合物からなる請求項６又は７に記載の便座カバー用紙セット。
【請求項９】
前記便座カバー用紙の基材は再生紙にて形成されている請求項１〜８の何れかに記載の便座カバー用紙セット。
【請求項１０】
腰掛け式便器の便座に取り付ける便座カバー用紙であって、
当該便座カバー用紙の基体となるシート本体と、
前記シート本体の一方の面に微粘着剤を塗布した微粘着剤塗布部と、
を備え、
前記微粘着剤塗布部は、便座側に設けられ前記便座カバー用紙を前記便座上に固定する付着手段と付着する便座カバー用紙。
【発明の詳細な説明】
【０００１】
【発明の属する技術分野】
本発明は腰掛け便器の便座に敷設する便座カバー用紙に関わる技術に関する。
【０００２】
【従来の技術】
腰掛け便器を利用する際に肌を直接触れる便座は局部が触れることもあり、汗や排泄物の他に皮膚病や性病などの雑菌が付着しがちで不潔である。
【０００３】
特に不特定多数が利用するパブリックトイレの利用者の９０％以上は便座について衛生面、心理面で不快に感じており、それら感染症の虞もあってトイレットペーパーで便座を拭くなどの対策を講じている。
【０００４】
この問題を解決するための従来製品は幾つかある。従来製品として、例えば、複数のシートペーパーを格納し、トイレ内の側壁に取り付ける壁掛け式ペーパーホルダがある。トイレ利用者は、トイレを利用する度に壁掛け式ペーパーホルダからシートペーパーを１枚ずつ取り出して便座に敷く。
【０００５】
しかし、トイレ利用の度にシートペーパーを取り出す作業は利用者にとっては手間がかかって煩わしい作業であった。
【０００６】
また、シートペーパーを適宜の位置に敷設する作業は意外に難しく、適宜の位置にシートペーパーを配置しないと実際に座る段になるとずり落ちることが多かった。
【０００７】
そのため、壁掛け式ペーパーホルダのシートペーパーを積極的に利用することが少なかった。
【０００８】
また、電気を駆動源とした機械装置を利用して自動的にシートペーパーを便座上に供給する製品もある。
【０００９】
しかし、このような製品は、故障しやすい、コストが高いという理由から余り普及していない。
【００１０】
また、アルコールなどの薬剤をティッシュやトイレットペーパーに浸して便座を拭くタイプの製品もある。
【００１１】
しかし、このようなタイプの製品は、上述した壁掛け式ペーパーホルダと同様にトイレを利用する度に便座を拭く作業を伴うため面倒であった。加えて、このようなタイプの製品は、結果的に「利用者にトイレ掃除をさせる」ことになり、サービス面で問題があった。
【００１２】
そこで本発明者は、ワンタッチで簡単にシートペーパーをセットできる便座カバー用紙セットを考案した（実用新案登録２５３０５１１号）。
【００１３】
この便座カバー用紙セットは、腰掛け式便器の便蓋側に設けたシートペーパーの束を収納する用紙収納手段と、便座上に設けられ、便座状に設けたシートペーパーを何千枚も繰り返し付着・剥離可能な粘着ゴムを利用した粘着手段を配したクッション手段とからなる。
【００１４】
このような構成により、用便前に便蓋を閉じると用紙収納手段内に収納されたシートペーパーがクッション手段上の粘着手段に一枚ずつ付着し、クッション手段上に敷設される。即ち、先の考案によれば、単に便蓋を開閉するだけで簡単かつ確実にシートペーパーを敷設できる。それによって、トイレ利用者は便座に肌を触れずに用を足すことができる。
【００１５】
さらに、先の考案の便座カバー用紙セットは、（１）紙製のシートペーパーを粘着手段に付着するのでずれ落ちる心配がない、（２）電気や機械を利用せず構造が簡単なので故障が少なく、コスト的にも安価である、（３）ウレタンフォームなどのクッション手段を使用するので座った時の衝撃が少なく臀部が安定したり冬でも冷たくない、といった利点を有する。
【００１６】
しかし、先の考案の便座カバー用紙セットでは、シート表面の強度が弱いシートペーパーやトイレットペーパーを粘着手段に付着させると、シートの表面が比較的簡単に毛羽立ってしまう。
【００１７】
すると、シートペーパーやトイレットペーパーの繊維（紙粉）が粘着手段に移行して粘着手段の粘着力が低下してしまう。そして、場合によっては、シートペーパーやトイレットペーパーの付着・剥離を数回行っただけで粘着手段の粘着力が低下してしまうという問題があった。
【００１８】
また、先の考案の便座カバー用紙セットで使用する専用シートペーパーは製紙段階でパルプ叩解度を上げて繊維の絡みを増して表面強度を強くしたものが利用されていた。この専用シートペーパーの連続付着可能枚数はペーパーの品質にもよるが５０〜１００枚程度であった。
【００１９】
しかし、シートペーパーの繊維の絡みを増して表面強度を上げると、水解けが悪くなるというジレンマがあった。
【００２０】
更に、繊維の絡みを多くする為、シートペーパーには繊維の短い再生紙は使用できない。そのため、シートペーパーには繊維の長いバージンパルプを使用しなければならなかった。しかし、バージンパルプを使用することは環境的、又は資源消費の面において好ましいことではなかった。
【００２１】
一方、ウレタン系粘着ゴムは水が付着すると粘着力がなくなる性質を持っている。そのため、粘着手段の表面に付着した紙粉やゴミは水などをスプレーすると「浮遊状態」となり、ぬれ雑巾やスポンジでふき取ることで除去できる。また、皮脂などの脂分が付着すれば中性洗剤などで清掃する必要がある。尚、ウレタン系粘着ゴムは、乾燥すれば粘着手段の粘着力が回復する。このような清掃を行うことで、ウレタン系粘着ゴムは、１万回近く付着・剥離を繰り返すことが可能である。しかし、このような、粘着手段のメンテナンス作業は面倒なものであった。
【００２２】
そこで本発明者は特願平１１−１６２８４３号でシートペーパーの粘着手段に付着する片面に水溶性樹脂であるポリビニールアルコールなどの水溶性のサイジング剤を塗布する便座カバー用紙セットを提案した。
【００２３】
先願の発明により、ポリビニールアルコールを塗布すると、シートペーパー表面の繊維が固定（コーティング）される。そのため、このシートペーパーが粘着手段に付着しても表面が毛羽立たず、繊維が移行し難くなった。その結果、シートペーパーの連続付着可能枚数は約１０００枚まで増大した。
【特許文献１】
実用新案登録２５３０５１１号公報
【特許文献２】
実用新案登録３０７２６４８号公報
【特許文献３】
特願平１１−１６２８４３号公報
【００２４】
【発明が解決しようとする課題】
本発明は先に出願した発明をさらに改良するため、鋭意研究の結果、次のような課題を見出した。
【００２５】
すなわち、先願の発明には、ポリビニールアルコールが高価なため、用紙コストが高くなるという問題があった。
【００２６】
また、シートペーパーの片面のみにポリビニールアルコールを直接塗布するため、ポリビニールアルコールが硬化すると軟質なシート本体は、カールしたり、しわを生じてしまうという問題があった。
【００２７】
また、粘着手段の粘着力が落ちてしまう要因には、図９に示すように、シートペーパー１２０の紙粉１３２の付着の他に、（１）衣類の繊維１３０やゴミ１３１が付着すること、（２）シートペーパー１２０を敷かずに座ったり指で粘着手段１２３を触る利用者がいることで臀部や指の皮脂が粘着ゴムに付着すること等がある。
【００２８】
そこで、先願の発明では便座カバー用紙にサイジング剤を塗布し、用紙の繊維が粘着手段１２３に付着するのを防いだが、衣類の繊維１３０やゴミ１３１が粘着手段に付着するのを防いだり除去したりすることはできなかった。それに伴い、粘着手段１２３の粘着力は徐々に低下した。
【００２９】
特に粘着手段１２３に皮脂が付着した場合は、水では除去できないため中性洗剤などで除去しなければならなかった。
【００３０】
このような水ないし中性洗剤による粘着手段の清掃（メンテナンス）は手間がかかり、メンテナンスを怠ると粘着力が弱くなって本装置全体が機能しなくなる虞があった。
【００３１】
なお、粘着手段の粘着力が低下するもう一つの要因として粘着ゴムの劣化が挙げられるが、ウレタン系粘着ゴムの劣化には少なくとも二、三年かかる。
【００３２】
さらに、その特性として劣化が生じれば却って柔軟化して粘着力が増すという性質があるので、ここでは粘着ゴムの劣化を粘着力の低下の要因として考慮しない。
【００３３】
そこで、本発明は上記事項に鑑みなされたものであって、粘着手段に付着するシートペーパーの紙粉を抑制するだけでなく、粘着手段に付着した衣類の繊維やゴミ、皮脂を除去できる特殊な専用シートペーパーを加工し、それにより粘着手段の粘着力を一定に維持して粘着手段のメンテナンスを最小限にした便座カバー用紙セット、便座カバー用紙を提供することを課題とする。
【００３４】
さらに、本発明は、シートペーパーのカールやしわを防止し、加工コストを削減した便座カバー用紙セット、便座カバー用紙を提供することを課題とする。
【００３５】
【課題を解決するための手段】
上記の課題を解決するため、本発明は、腰掛け式便器において、便蓋側に設けた便座カバー用紙束を収納する用紙収納手段と、便座側に設けられ、便蓋を閉じると用紙収納手段内の便座カバー用紙と当接し便座カバー用紙が付着する付着手段と、を有する便座カバー用紙セットにおいて、便座カバー用紙は、便座カバー用紙の基体となるシート本体と、シート本体の一方の面に微粘着剤を塗布した微粘着剤塗布部とを備え、微粘着剤塗布部は、便座カバー用紙を便座上に敷設する際に付着手段に付着することを特徴とする。
【００３６】
また、本発明に係るシート本体の他方の面に当該シート本体の表面をコーティングするサイジング剤を塗布したサイジング剤塗布部を有し、このサイジング剤塗布部は、シート本体を介して微粘着剤塗布部と相対する位置に設けられていることを特徴とする。
【００３７】
加えて、本発明に係る微粘着剤塗布部は、サイジング剤塗布部より小さく形成すると好ましい。
【００３８】
本発明に係る微粘着剤は、ポリビニールメチルエーテルとポリビニールピロドリン系の材料との混合物からなる水分散型のホットメルト接着剤、膠変性物からなる接着剤、アクリル系粘着剤の何れか一つ又は少なくとも二つ以上を有効成分としてもよい。
【００３９】
また、本発明に係るサイジング剤は、澱粉、ポリビニールアルコール、カゼイン、ポリアクリルアミドのうちの何れか一つ又は少なくとも二つ以上を有効成分とする基剤と、別の便座カバー用紙の微粘着剤塗布部との付着を妨げるはく離剤とからなってもよい。
【００４０】
従って便座カバー用紙を積載したとき、サイジング剤塗布部を有することで、微粘着剤塗布部は、別の便座カバー用紙のシート本体と当接しない。そのため便座カバー用紙同士の不用意な付着を防ぐことができる。
【００４１】
特に本発明の便座カバー用紙セットの場合は微粘着剤を塗布し、便蓋を閉じて便座カバー用紙を敷設する際に便蓋を押すので便座カバー用紙束に圧力がかかり、それだけ便座カバー用紙同志が付着する、いわゆるブロッキングを生じやすい。ブロッキングが生じると便座カバー用紙一枚一枚がはがれにくくなり、数枚の束になって出るという不都合が生じる。
【００４２】
しかし、はく離剤を混入したサイジング剤塗布部を有することで、サイジング剤塗布部に別の便座カバー用紙の微粘着剤塗布部が当接しても互いに付着しない。つまり、本発明のサイジング剤塗布部によりブロッキングを防止し、便座カバー用紙を毎回１枚ずつ円滑に給紙することができる。
【００４３】
更に、本発明の微粘着剤塗布部は付着手段に対応する位置に設けられているため、シート本体の微粘着剤に係るコストを削減できる。
【００４４】
また、微粘着剤を塗布する前にサイジング剤を塗布して、便座カバー用紙を加工することにより、微粘着剤がシート本体の反対側に浸透するのを防ぐことができる。
【００４５】
また、微粘着剤とサイジング剤（表面増強剤）は、シート本体の繊維を固定することができる。従って微粘着剤塗布部とサイジング剤塗布部により、シート本体からの紙粉の発生を抑制できる。
【００４６】
また、サイジング剤と微粘着剤とをシート本体表裏面にそれぞれ塗布することにより、シート本体のカールやしわの発生を防ぐことができる。
【００４７】
このような構成により、紙粉の発生を抑制できると共に、微粘着剤により付着手段に付着した衣類の繊維やトイレ内の浮遊ゴミ（紙粉も含む）を取り去ることができる。
【００４８】
これによって、付着手段の一定の粘着力が維持され、連続付着可能枚数を飛躍的に増加させることが可能となる。
【００４９】
また、本発明ではシート本体の繊維をサイジング剤と微粘着剤とにより、両面から固定するので、繊維が長く複雑に絡み水解けの悪いバージンパルプを使用する必要がなくなる。
【００５０】
これに伴い、本発明に係るシート本体は、繊維の短い再生紙を使用することができる。そのため、本発明によれば環境に及ぼす悪影響をきわめて少なくすることができる。
【００５１】
加えて、本発明の別の実施形態に係る便座カバー用紙は、便座カバー用紙の基体となるシート本体と、シート本体の一方の面に当該シート本体の表面をコーティングするサイジング剤を塗布したサイジング剤塗布部とを備え、サイジング剤塗布部は、便座カバー用紙を便座上に敷設する際に付着手段に付着することを特徴とする。
【００５２】
このときのサイジング剤は、澱粉、ポリビニールアルコール、カゼイン、ポリアクリルアミドのうちの何れか一つ又は少なくとも二つ以上を有効成分とし、その何れかの中で付着手段と接着性のよい成分を主成分としてもよい。
【００５３】
さらに、サイジング剤は、澱粉、ポリビニールアルコール、カゼイン、ポリアクリルアミドのうちの何れか一つ又は少なくとも二つ以上の有効成分と、付着手段と接着性のよい成分との混合物からなってもよい。
【００５４】
これによって、本発明に係るサイジング剤塗布部は、便座カバー用紙の繊維を固定して毛羽立ちを防ぐことで紙粉の発生を抑制するサイジング剤としての役割を果たす。加えて、本発明に係るサイジング剤は、サイジング剤の成分の中で付着手段と接着性がよい成分を主成分とする、あるいは付着手段と接着性のよい成分を加えることで付着手段に付着しやすくなる。それによって、本発明に係るサイジング剤塗布部は、付着手段表面のゴミや皮脂を少量ずつ除去し、付着手段の粘着力を維持するという微粘着剤塗布部と同様の役割を果たす。
【００５５】
さらに、本発明に係るサイジング剤塗布部の成分は付着手段と付着しやすいので、付着手段の粘着力が低下しても便座カバー用紙の連続付着可能枚数は増加し、付着手段のメンテナンスを最小限にできる。
【００５６】
また、本発明は腰掛け式便器の便座に取り付ける便座カバー用紙でもある。本発明の便座カバー用紙は、便座カバー用紙の基体となるシート本体と、シート本体の一方の面に微粘着剤を塗布した微粘着剤塗布部とを備え、微粘着剤塗布部は、便座カバー用紙が便座上に敷設されるとき、便座上に設けられ便座カバー用紙を付着する付着手段と当接することを特徴とする。
【００５７】
【発明の実施の形態】
本実施形態の便座カバー用紙セットについて図面に基づき説明する。
【００５８】
（本実施の形態の便座カバー用紙セットの概略）
図１に本実施形態の便座カバー用紙セット１の全体を既存の腰掛便器１０に装着した斜視図を示す。本実施形態における腰掛便器１０は便器１１と、便器１１上縁に載置される便座１２と、便器１１の上縁及び便座１２を覆う便蓋１３とから構成されている。
【００５９】
便座１２と便蓋１３は、便器１１の背面側に設けられたヒンジ部１４で軸止されている。便座１２と便蓋１３は、ヒンジ部１４を支点として便器１１前面から背面に向かって旋回可能である。便座１２は、便器１１の上縁を覆う形状をなし、Ｕ字型又はＯ字型のものがあるが本実施形態ではＯ字型であるとして説明する。
【００６０】
便蓋１３の内側には、便座１２の上縁を覆う便座カバー用紙（以下、シートペーパーと称す）２０を収納する用紙ホルダ２１が設けられている。用紙ホルダ２１は、便座１２と適合する形状であり、便蓋１３の内側にセットされる。尚、用紙ホルダ２１はシートペーパー２０の外縁側を保持し、シートペーパー２０内縁側は解放されている。このシートペーパー２０については後述する。
【００６１】
さらに、用紙ホルダ２１と便座１２の間には、便座１２の形状と適合したクッションシート（クッション手段）２２が設けられている。クッションシート２２はヒンジ部１４により軸止ないし便座に貼付されている。尚、用紙ホルダ２１とクッションシート２２とを合わせて本実施形態の便座カバー用紙セット１とする。
【００６２】
また、クッションシート２２の上面には、先端が粘着力を有する付着手段（以下、粘着ボタンと称す）２３が設けられている。尚、図１に示すように、本実施形態における粘着ボタン２３は、便器１１の前面側に二か所、ヒンジ部１４側に左右一つずつ設けられている。
【００６３】
（便座カバー用紙セットの使用方法）
ここで、本実施形態の便座カバー用紙セット１の使用方法について説明する。
【００６４】
図２に本実施形態の便座カバー用紙セット１の使用手順を段階的に示す。まず、図２（ａ）に示すように、用紙ホルダ２１を下げてシートペーパー２０をクッションシート２２上の粘着ボタン２３に当接させる。
【００６５】
すると、最もクッションシート２２側に位置する一枚のシートペーパー２０が、図２（ｂ）に示すように、粘着ボタン２３に付着する。粘着ボタン２３に付着した用紙は、便蓋１３を上げると用紙ホルダ２１から出てそのままクッションシート２２に固定される。
【００６６】
このように、粘着ボタン２３にシートペーパー２０が付着すると、用紙ホルダ２１に収納されているシートペーパー２０が取り出され、クッションシート２２上を覆う。言い換えれば、シートペーパー２０が便座１２上に敷設される。これによって、トイレ利用者は便座１２に触れずに用を足すことができる。
【００６７】
そして、図２（ｃ）に示すように、トイレ利用者は用便後にクッションシート２２（便座１２）上に敷設されたシートペーパー２０を剥がし、トイレットペーパーと同様に便器に落として水で流す。
【００６８】
以上が、本実施形態における便座カバー用紙セット１の概要である。
【００６９】
（シートペーパーの構造）
次に、本実施形態におけるシートペーパー２０の構造を説明する。
【００７０】
図３に本実施形態のシートペーパー２０の一部における積層構造を示す。本実施形態のシートペーパー２０は、紙製のシート本体２４と、その表面に水溶性のサイジング剤を塗布したサイジング剤塗布部２５と、シート本体２４の裏面に水溶性の微粘着剤を塗布した微粘着剤塗布部２６とから構成されている。尚、サイジング剤塗布部２５と微粘着剤塗布部２６は、便座カバー用紙セットとして使用する際に、前述した粘着ボタン２３上に重畳する位置に適宜の大きさで設けられている。
【００７１】
サイジング剤塗布部２５に塗布された水溶性のサイジング剤は、澱粉、ポリビニールアルコール、カゼイン、ポリアクリルアミドのうち何れか一つ又は少なくとも二つ以上を有効成分とする基剤と、シートペーパーを積載した際に別のシートペーパーの微粘着剤塗布部との付着を妨げるはく離剤とから構成されている。これにより、その面の繊維を固定してシートペーパーの表面強度と引張り強度を増すことができる。
【００７２】
微粘着剤塗布部２６に塗布された微粘着剤は、ポリビニールメチルエーテルとポリビニールピロドリン系の材料との混合物からなる水分散型のホットメルト粘着剤、にかわ変性物からなる接着剤、アクリル系粘着剤のうち何れか一つ又は少なくとも二つ以上を有効成分とする微粘着剤である。
【００７３】
この微粘着剤塗布部２６をシート本体２４に形成することで、その面のシートペーパー２０の繊維を固定し、シートペーパーの表面強度と引張り強度を増すことができる。
【００７４】
サイジング剤塗布部２５には、はく離剤を混入したサイジング剤を塗布するが、はく離剤として例えば、「シリコン系はく離剤」がある。そのはく離効果によって、サイジング塗布部２５は別のシートペーパーの微粘着剤塗布部２６と付着しない。
【００７５】
そのため、本発明の図６に示すようにシートペーパー２０を積層させてもシートペーパー２０同士が付着するのを防ぐことができる。すなわち、サイジング剤塗布部２５ｂにより別のシートペーパー２０ａの微粘着塗布部２６ａが直接、シートペーパー２０ｂのシート本体２４ｂに付着することはなく、微粘着剤塗布部２６ａの微粘着剤はサイジング剤塗布部２５ｂのはく離効果によりサイジング剤塗布部２５ｂとも付着しない。つまり本実施形態のサイジング剤塗布部２５により「ブロッキング」を防止でき、シートペーパー２０を毎回、１枚づつ給紙できる。
【００７６】
また、シートペーパー２０の両面にサイジング剤塗布部２５及び微粘着剤塗布部２６を形成するので両面の繊維を固定でき、更に粘着ボタン２３に直接シート本体２４の紙の部分が付着しないので、シートペーパー２０の表面は毛羽立たず、紙粉３２の発生を抑制できる。
【００７７】
これによって、本実施形態に係るシートペーパー２０によれば、粘着ボタン２３に紙粉３２を付着し難くすることができる。
【００７８】
また、シートペーパー２０は、サイジング剤を最初に塗布し、次に微粘着剤を塗布する順序で加工される。このような加工順序により微粘着剤がシートペーパー２０の反対側に浸透するのを防ぐことができる。
【００７９】
ここで、サイジング剤塗布部２５と微粘着剤塗布部２６との相対関係について説明する。図４に本実施形態のシートペーパー２０の平面図を示し、図５に本実施形態のシートペーパー２０の底面図を示す。図に示すように、本実施形態のサイジング剤塗布部２５は、微粘着剤塗布部２６よりも広い面積を有する。
【００８０】
例えば、サイジング剤塗布部２５をシートペーパー２０の片面にサイジング剤を直径４０ｍｍの円状に塗布したものとし、微粘着剤塗布部２６をシートペーパー２０の他面に微粘着剤を直径３０ｍｍの円上に塗布したものとする。
【００８１】
ここでシート本体２４全面ではなく、粘着ボタン２３の位置に対応する箇所のみにサイジング剤と微粘着剤とを塗布することにより余分なコストを削減することもできる。
【００８２】
また、サイジング剤と微粘着剤とをシート本体２４の表裏面にそれぞれ塗布することにより、シート本体２４のカールやしわの発生を防ぐことができる。
【００８３】
さらに、本実施形態に係るシートペーパー２０は、粘着ボタン２３と当接する微粘着剤塗布部２６に微粘着剤が塗布されている。これによって、微粘着剤塗布部２６は粘着ボタン２３と当接した際に、図７に示すように粘着ボタン２３に付着した衣類の繊維３０，浮遊ゴミ３１，紙粉３２，皮脂を付着して捕捉することができる。
【００８４】
そして、それら繊維３０や浮遊ゴミ３１、皮脂を捉えたシートペーパー２０は毎回、水に流して廃棄するので、粘着ボタン２３からそれら繊維３０や、ゴミ３１、皮脂を取り除くことができる。
【００８５】
すなわち本実施形態の便座カバー用紙セット１のシートペーパー２０により、粘着ボタン２３の粘着力が低下する要因を除去し、粘着ボタン２３の粘着力を、シートペーパー付着可能な一定の粘着力を維持できる。そのため、本実施形態の便座カバー用紙セット１によれば、連続付着可能枚数を飛躍的に増やすことができるとともに、粘着ボタン２３のメンテナンスを最小限にすることができ、メンテナンス性及び衛生面でも優れている。
【００８６】
尚、本出願人は、本実施形態に係るシートペーパー３０枚毎に意図的にティッシュペーパーの紙粉と人体の皮脂を付着させたシートペーパーの連続付着可能枚数を調べた。その結果、粘着ボタン２３の清掃を一度もせずに２０００回以上連続して付着させることができた。すなわち、粘着ボタン２３のメンテナンスを頻繁に行わなくとも本装置を機能させることができた。
【００８７】
さらに、シートペーパー２０は、その表裏面に塗布された水溶性のサイジング剤と微粘着剤とで繊維を固定し紙粉の発生を抑制している。そのため、従来の専用シートペーパーのように繊維が長いバージンパルプの叩解度を高めて繊維の絡みを複雑にする必要はなく、水解性の良い、繊維の短い再生紙を使用できる。これによって、使い捨てであるシートペーパーを省資源化に沿った製品として生成することができる。
【００８８】
＜その他の実施の形態＞
図８に他の実施形態に係るシートペーパー２２０の断面図を示す。他の実施形態におけるシートペーパー２２０は、シート本体２２４と、シート本体２２４の便座側の面にサイジング剤を塗布したサイジング剤塗布部２２５とから構成されている。
【００８９】
他の実施形態に係るサイジング剤は、澱粉、ポリビニールアルコール、カゼイン、ポリアクリルアミドのうちの何れか一つ又は少なくとも二つ以上の有効成分と、粘着ボタン２３と化学的に接着性のよい微量の粘着剤との混合物からなる。尚、本実施形態におけるサイジング剤塗布部２２５にははく離剤を加えないこととする。また混入する粘着剤はブロッキングを生じない程度の微量のものとする。
【００９０】
本実施形態のサイジング剤塗布部２２５も、便座カバー用紙の繊維を固定して毛羽立ちを防ぐことで紙粉の発生を抑制するサイジング剤としての効果を生じる。
【００９１】
また、サイジング剤に加えて粘着ボタン２３と付着しやすい微量の粘着剤を混入することで粘着ボタン２３に付着しやすく、粘着ボタン２３のゴミや皮脂を少量ずつ除去し、粘着ボタン２３の粘着力を維持するという微粘着剤塗布部と同様の効果を得ることができる。
【００９２】
さらに、サイジング剤塗布部２２５に微量の粘着剤が混入されているので、粘着ボタン２３の粘着力が低下しても粘着ボタン２３と付着しやすく、シートペーパーの連続付着可能枚数は増加し、粘着ボタン２３のメンテナンスを最小限にできる。
【００９３】
また、本実施形態のシートペーパーは、粘着ボタン２３と当接する面にのみサイジング剤塗布部２２５を形成し、その裏面に微粘着剤塗布部を形成しないので、原料及び加工工数を削減でき、シートペーパーを非常に安価に提供できる。
【００９４】
尚、その他の実施形態のサイジング剤は、澱粉、ポリビニールアルコール、カゼイン、ポリアクリルアミドのうちの何れか一つ又は少なくとも二つ以上からなり、これらの何れかの成分のうち粘着ボタンと化学的に接着性のよい成分を主成分としてもよい。このような構成により、上述した効果と同様の効果を得ることができる。
【００９５】
例えば粘着ボタンにウレタン系粘着ゴムを使用する場合、ポリアクリルアミド７０％、ポリビニールアルコール３０％とすることで良好な効果が得られた。
【００９６】
【発明の効果】
以上のことにより、本発明によれば、粘着手段に付着するシートペーパーの紙粉を抑制するだけでなく、粘着手段に付着した衣類の繊維やゴミ、皮脂を除去できる特殊な専用シートペーパーを加工し、それにより付着手段の粘着力を一定に維持して粘着手段のメンテナンスを最小限にした便座カバー用紙セット、便座カバー用紙を提供することが可能となる。
【００９７】
さらに、本発明によれば、シートペーパーのカールやしわを防止し、加工コストを削減した便座カバー用紙セット、便座カバー用紙を提供することができいる。
【図面の簡単な説明】
【図１】本実施形態の便座カバー用紙セット及び腰掛式便器の基本的な構成と動作を示す斜視図である。
【図２】本実施形態の便座カバー用紙セットの使用手順を段階的に示すイメージ図である。
【図３】本実施形態に係る便座カバー用紙セットの粘着ボタン部分の拡大断面図である。
【図４】本実施形態に係るシートペーパーの表面図である。
【図５】本実施形態に係るシートペーパーの裏面図である。
【図６】本実施形態に係るシートペーパーを積層したところのイメージ図である。
【図７】本実施形態に係る粘着ボタン付近の要部拡大図である。
【図８】他の実施の形態に係る粘着ボタン付近の腰部拡大図である。
【図９】従来の粘着ボタン付近の要部拡大図である。
【符号の説明】
１  便座カバー用紙セット
１０  腰掛便器
１１  便器
１２  便座
１３  便蓋
１４  ヒンジ部
２０，１２０，２２０  シートペーパー（便座カバー用紙）
２１  用紙ホルダ
２２  クッションシート
２３，１２３  粘着ボタン（付着手段）
２４，２２４  シート本体
２５，２２５  サイジング剤塗布部
２６  微粘着剤塗布部
３０，１３０  繊維
３１，１３１  ゴミ
３２，１３２  紙粉
【図１】
2004321670.tif 000003
【図２】
2004321670.tif 000004
【図３】
2004321670.tif 000005
【図４】
2004321670.tif 000006
【図５】
2004321670.tif 000007
【図６】
2004321670.tif 000008
【図７】
2004321670.tif 000009
【図８】
2004321670.tif 000010
【図９】
2004321670.tif 000011